(57)【要約】【課題】クリスマスツリーの装飾品キットの使用期間を延ばし投資効率を向上させ得るクリスマス及びハロウィンの装飾品キットを提供する。【解決手段】クリスマスツリー１１と、前記クリスマスツリー１１に着脱配置可能なクリスマスライト機器１２と、前記クリスマスツリー１１の頂部に着脱配置可能な、ハロウィンのジャックオーランタン１３と、前記クリスマスツリーの側面を覆って着脱配置可能な、ハロウィンの魔除け仮装の魔女の外套１４と、前記ジャックオーランタンの頂部に配置可能な魔女の帽子１５と、を備える。【選択図】  図２
2017144100.tif 000002
【特許請求の範囲】
【請求項１】
クリスマスツリーと、
前記クリスマスツリーに着脱配置可能なクリスマスライト機器と、
前記クリスマスツリーの頂部に着脱配置可能な、ハロウィンの魔除け物体の頭部と、
前記クリスマスツリーの側面を覆って着脱配置可能な、ハロウィンの魔除け仮装の衣服と、を備えるクリスマス及びハロウィンの装飾品キット。
【請求項２】
クリスマスツリーと、
前記クリスマスツリーに着脱配置可能なクリスマスライト機器と、
前記クリスマスツリーの頂部に着脱配置可能な、ハロウィンのジャックオーランタンと、
前記クリスマスツリーの側面を覆って着脱配置可能な、ハロウィンの魔除け仮装の衣服と、を備えるクリスマス及びハロウィンの装飾品キット。
【請求項３】
クリスマスツリーと、
前記クリスマスツリーに着脱配置可能なクリスマスライト機器と、
前記クリスマスツリーの頂部に着脱配置可能な、ハロウィンの魔除け物体の頭部と、
前記クリスマスツリーの側面を覆って着脱配置可能な、ハロウィンの魔除け仮装の魔女の外套と、
前記ジャックオーランタンの頂部に配置可能な魔女の帽子と、を備えるクリスマス及びハロウィンの装飾品キット。
【請求項４】
クリスマスツリーと、
前記クリスマスツリーに着脱配置可能なクリスマスライト機器と、
前記クリスマスツリーの頂部に着脱配置可能な、ハロウィンのジャックオーランタンと、
前記クリスマスツリーの側面を覆って着脱配置可能な、ハロウィンの魔除け仮装の魔女の外套と、
前記ジャックオーランタンの頂部に配置可能な魔女の帽子と、を備えるクリスマス及びハロウィンの装飾品キット。
【発明の詳細な説明】
【技術分野】
【０００１】
本発明は、クリスマス及びハロウィンの装飾品キットに関するものである。
【背景技術】
【０００２】
クリスマスツリーの装飾品キットは、１年のうち数週間しか使用しないものの嵩張るため、使用しない期間の保管に必要な容積を極力小さくするものが提案されている（特許文献１）。
【先行技術文献】
【特許文献】
【０００３】
【特許文献１】特開平１１−２９９６３５号公報
【発明の概要】
【発明が解決しようとする課題】
【０００４】
しかしながら、使用しない期間の保管に必要な容積を小さくできても、クリスマスツリーの装飾品キットの使用期間は、やはり１年のうち数週間に過ぎない。したがって、クリスマスツリーの装飾品キットに対する投資効率は、何ら改善されていないという問題がある。
【０００５】
本発明が解決しようとする課題は、クリスマスツリーの装飾品キットの使用期間を延ばし投資効率を向上させ得るクリスマス及びハロウィンの装飾品キットを提供することである。
【課題を解決するための手段】
【０００６】
本発明は、クリスマスツリーと、前記クリスマスツリーに着脱配置可能なクリスマスライト機器と、前記クリスマスツリーの頂部に着脱配置可能な、ハロウィンの魔除け物体の頭部と、前記クリスマスツリーの側面を覆って着脱配置可能な、ハロウィンの魔除け仮装の衣服と、を備えるクリスマス及びハロウィンの装飾品キットによって、上記課題を解決する。
【発明の効果】
【０００７】
本発明によれば、１０月にはクリスマスツリーにジャックオーランタンと魔除け仮装の衣服を飾り付け、ハロウィンを楽しむ。そしてこれが終われば、ジャックオーランタンと魔除け仮装の衣服に代えて、クリスマスツリーにクリスマスライト機器を飾り付け、１２月末までクリスマスを楽しむ。これにより、長くて１０月初旬から１２月末にかけてクリスマスツリーを使用することになるので、装飾品キットへの投資効率が向上する。
【図面の簡単な説明】
【０００８】
【図１】本発明に係るクリスマス及びハロウィンの装飾品キットの一実施の形態を示す部品図である。
【図２】図１のクリスマス及びハロウィンの装飾品キットを用いて、ハロウィン用に装飾品を飾り付けた一例を示す図である。
【図３】図１のクリスマス及びハロウィンの装飾品キットを用いてクリスマス用に装飾品を飾り付けた一例を示す図である。
【発明を実施するための形態】
【０００９】
以下、本発明の一実施の形態を図面に基づいて説明する。本実施形態に係るクリスマス及びハロウィンの装飾品キット１は、図１に示すように、クリスマスツリー１１と、クリスマスツリー１１に着脱配置可能なクリスマスライト機器１２と、クリスマスツリー１１の頂部に着脱配置可能な、ハロウィンのジャックオーランタン（かぼちゃ提灯ともいう）１３と、クリスマスツリー１１の側面を覆って着脱配置可能な、ハロウィンの魔除け仮装の魔女の外套１４と、ジャックオーランタン１３の頂部に配置可能な魔女の帽子１５と、を備える。
【００１０】
クリスマスツリー１１は、針葉樹等に似せた擬木であって、中心に幹を有し当該幹から複数の枝及び葉が広がって構成されている。クリスマスツリー１１は、ほぼ円錐形状とされ、幹の下端にクリスマスツリー１１を直立状態に保持する脚部が設けられている。本実施形態のクリスマスツリー１１の大きさは、特に限定されないが、高さが１〜２ｍ、最大幅が０．５〜１．５ｍ程度のものを例示することができる。なお、幹と枝との接続部分は折り畳み可能に構成され、非使用時にはできる限り嵩張らないようにすることが望ましい。
【００１１】
クリスマスライト機器１２は、複数の電球又はＬＥＤが電気コードによって直列に接続されたものであり、電気コードの基端にコンセントプラグが設けられ、当該コンセントプラグと電球又はＬＥＤとの間にＯＮ／ＯＦＦスイッチ付きＡＣ／ＤＣコンバータが設けられている。クリスマスライト機器１２は、電球又はＬＥＤが設けられた部分の電気コードをクリスマスツリー１１に巻き付けることで配置され、電力を供給することで電球又はＬＥＤが点灯又は点滅する。これにより、クリスマスツリー１１を光学的に装飾することができる。ちなみに、クリスマスツリー１１には、クリスマスライト機器１２に加えて、種々の装飾品を飾り付けてもよい。
【００１２】
ジャックオーランタン１３は、たとえばプラスチックからなるかぼちゃに似せたハロウィンの装飾品であり、本実施形態のジャックオーランタン１３は、クリスマスツリー１１の頂部に着脱配置可能とされている。具体的には、ジャックオーランタン１３の内部が空洞とされ、ここをクリスマスツリー１１の頂部の幹に差し込むことで着脱配置が可能とされている。ただし本発明においては、ジャックオーランタン１３に代えて、ハロウィンの魔除け物体の頭部、たとえば魔女の頭部をクリスマスツリー１１の頂部に着脱配置可能としてもよい。
【００１３】
外套１４は、ハロウィンの魔除け仮装のうちの魔女の仮装のマントであり、図２に示すように、クリスマスツリー１１の側面の大部分を覆える程度の大きさとされている。すなわち、クリスマスツリー１１を完全に隠す程の厳密さは必要とされないが、凡そクリスマスツリー１１であることが目立たない程度にクリスマスツリー１１の側面を覆うことができる大きさとされていることが望ましい。
【００１４】
帽子１５は、同じくハロウィンの魔除け仮装のうちの魔女が被る帽子であって、ジャックオーランタン１３の頂部に配置可能な大きさとされている。
【００１５】
このように構成された本実施形態のクリスマス及びハロウィンの装飾品キット１は、以下のように使用される。すなわち、１０月末に行われるハロウィンの前、たとえば１０月初旬などにおいて、装飾品キット１のうち、クリスマスツリー１１と、ジャックオーランタン１３と、魔女の外套１４と、魔女の帽子１５とを取り出し、図２に示すように、クリスマスツリー１１の頂部にジャックオーランタン１３を配置し、その頂部に帽子１５を配置し、さらにクリスマスツリー１１の側部を覆うように外套１４を配置する。これにより、ハロウィンに用いられる装飾品を室内等に飾ることができる。
【００１６】
１０月末のハロウィンが終了すると、クリスマスツリー１１はそのまま残し、ジャックオーランタン１３と、魔女の外套１４と、魔女の帽子１５とを取り外し、図３に示すように、これに代えてクリスマスライト機器１２をクリスマスツリー１１に配置する。これにより、クリスマスツリー１１を片付けることなく続けてクリスマスの装飾品として用いることができるので、長くて１０月初旬から１２月末にかけてクリスマスツリーを使用することになるので、装飾品キットへの投資効率が向上する。
【符号の説明】
【００１７】
１…クリスマス及びハロウィンの装飾品キット
１１…クリスマスツリー
１２…クリスマスライト機器
１３…ジャックオーランタン
１４…魔女の外套
１５…魔女の帽子
【図１】
2017144100.tif 000003
【図２】
2017144100.tif 000004
【図３】
2017144100.tif 000005
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
クリスマスツリーと、
前記クリスマスツリーの頂部に着脱配置可能な、ハロウィンの魔除け物体の頭部と、
前記クリスマスツリーの側面を覆って着脱配置可能な、ハロウィンの魔除け仮装の衣服と、を備えるクリスマス及びハロウィンの装飾品キット。
【請求項２】
クリスマスツリーと、
前記クリスマスツリーの頂部に着脱配置可能な、ハロウィンのジャックオーランタンと、
前記クリスマスツリーの側面を覆って着脱配置可能な、ハロウィンの魔除け仮装の衣服と、を備えるクリスマス及びハロウィンの装飾品キット。
【請求項３】
クリスマスツリーと、
前記クリスマスツリーの頂部に着脱配置可能な、ハロウィンの魔除け物体の頭部と、
前記クリスマスツリーの側面を覆って着脱配置可能な、ハロウィンの魔除け仮装の魔女の外套と、
前記ジャックオーランタンの頂部に配置可能な魔女の帽子と、を備えるクリスマス及びハロウィンの装飾品キット。
【請求項４】
クリスマスツリーと、
前記クリスマスツリーの頂部に着脱配置可能な、ハロウィンのジャックオーランタンと、
前記クリスマスツリーの側面を覆って着脱配置可能な、ハロウィンの魔除け仮装の魔女の外套と、
前記ジャックオーランタンの頂部に配置可能な魔女の帽子と、を備えるクリスマス及びハロウィンの装飾品キット。
【請求項５】
前記クリスマスツリーに着脱配置可能なクリスマスライト機器をさらに備える請求項１〜４のいずれか一項に記載のクリスマス及びハロウィンの装飾品キット。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
クリスマスツリーと、
前記クリスマスツリーの頂部に着脱配置可能な、ハロウィンの魔除け物体の頭部と、
前記クリスマスツリーの側面を覆って着脱配置可能な、ハロウィンの魔除け仮装の衣服と、を備えるクリスマス及びハロウィンの装飾品キット。
【請求項２】
クリスマスツリーと、
前記クリスマスツリーの頂部に着脱配置可能な、ハロウィンのジャックオーランタンと、
前記クリスマスツリーの側面を覆って着脱配置可能な、ハロウィンの魔除け仮装の衣服と、を備えるクリスマス及びハロウィンの装飾品キット。
【請求項３】
クリスマスツリーと、
前記クリスマスツリーの頂部に着脱配置可能な、ハロウィンの魔除け物体の頭部と、
前記クリスマスツリーの側面を覆って着脱配置可能な、ハロウィンの魔除け仮装の魔女の外套と、
前記魔除け物体の頂部に配置可能な帽子と、を備えるクリスマス及びハロウィンの装飾品キット。
【請求項４】
クリスマスツリーと、
前記クリスマスツリーの頂部に着脱配置可能な、ハロウィンのジャックオーランタンと、
前記クリスマスツリーの側面を覆って着脱配置可能な、ハロウィンの魔除け仮装の魔女の外套と、
前記ジャックオーランタンの頂部に配置可能な魔女の帽子と、を備えるクリスマス及びハロウィンの装飾品キット。
【請求項５】
前記クリスマスツリーに着脱配置可能なクリスマスライト機器をさらに備える請求項１〜４のいずれか一項に記載のクリスマス及びハロウィンの装飾品キット。